(57)【要約】【課題】発光体の発光制御だけで、回転体を搭載した回転灯と同等の発光演出を行うことが可能な遊技機を提供する。【解決手段】複数の発光体８２ａ〜８２ｆと、これら発光体８２ａ〜８２ｆの前側を覆うカバー板９１とを具備する発光演出手段を備えた遊技機で、カバー板９１の少なくとも一部に、透光性を有し且つ同心円状のパターン処理が施された発光レンズ部９４を設け、複数の発光体８２ａ〜８２ｆを、発光レンズ部９４に対する周方向の並びに従ってタイミングを順次ずらして点滅させるように構成する。【選択図】図３
2011062387.tif 000002
【特許請求の範囲】
【請求項１】
複数の発光体（８２ａ〜８２ｆ）と、該発光体（８２ａ〜８２ｆ）の前側を覆うカバー板（９１）とを具備する発光演出手段（３７）と、前記発光体（８２ａ〜８２ｆ）の発光制御を行う発光制御手段（９８）とを備えた遊技機において、前記カバー板（９１）の少なくとも一部に、透光性を有し且つ同心円状のパターン処理が施された発光レンズ部（９４）が設けられ、前記発光制御手段（９８）は、前記複数の発光体（８２ａ〜８２ｆ）を、前記発光レンズ部（９４）に対する周方向の並びに従ってタイミングを順次ずらして点滅させるように構成されていることを特徴とする遊技機。
【請求項２】
前記発光レンズ部（９４）には、前記パターン処理として、前記カバー板（９１）の表面側及び／又は裏面側に同心円状の凹凸処理が施されていることを特徴とする請求項１に記載の遊技機。
【請求項３】
前記発光レンズ部（９４）は、半径方向に所定間隔で複数配置された同心円状の透光部により構成されていることを特徴とする請求項１に記載の遊技機。
【請求項４】
前記発光レンズ部（９４）の後方に、前記同心円の中心軸（Ｃ２）に対して同一直径上又はその近傍に配置される複数の前記発光体（８２ａ〜８２ｆ）よりなる発光体列（８３〜８５）が略均等な角度間隔で複数組配置されており、前記発光制御手段（９８）は、それら発光体列（８３〜８５）単位で前記発光レンズ部（９４）の周方向の並びに従ってタイミングを順次ずらして点滅させるように構成されていることを特徴とする請求項１〜３の何れかに記載の遊技機。
【請求項５】
前記発光体列（８３〜８５）は、夫々前記中心軸（Ｃ２）を挟んでその両側に配置された一対の前記発光体（８２ａ，８２ｄ）（８２ｂ，８２ｅ）（８２ｃ，８２ｆ）により構成されていることを特徴とする請求項４に記載の遊技機。
【請求項６】
前記発光体列（８３〜８５）毎に前記発光体（８２ａ，８２ｄ）（８２ｂ，８２ｅ）（８２ｃ，８２ｆ）の半径方向位置が異なっていることを特徴とする請求項４又は５に記載の遊技機。
【請求項７】
前記カバー板（９１）には、前記発光レンズ部（９４）以外の部分に遮光処理が施されていることを特徴とする請求項１〜６の何れかに記載の遊技機。
【請求項８】
遊技球が入賞可能な入賞手段（３６ａ，３６ｂ）と前記発光演出手段（３７）とを、遊技盤（１１）に着脱可能な１つのユニット（１７）上に設けたことを特徴とする請求項１〜７の何れかに記載の遊技機。
【発明の詳細な説明】
【技術分野】
【０００１】
本発明は、パチンコ機、スロットマシン等の遊技機に関するものである。
【背景技術】
【０００２】
パチンコ機等の遊技機に搭載されている演出手段として、ＬＥＤ等の発光体を用いたものが多数存在する。この種の演出手段の中には、発光体の発光パターンの切り替えのみによって演出内容を変化させるものの他、例えば回転体などの可動体を搭載して、その可動体によって光路を三次元的に変化させることでよりリアルで立体的な発光演出を行えるようにしたものも存在する。
【０００３】
例えば特許文献１に記載のパチンコ機では、固定的に配置されたＬＥＤと、このＬＥＤの周囲を回転するリフレクタとを備えた回転灯を、遊技盤に装着されるいわゆるセンターケース上に配置している。
【先行技術文献】
【特許文献】
【０００４】
【特許文献１】特開２００９−８９８３０号公報
【発明の概要】
【発明が解決しようとする課題】
【０００５】
このような可動体を搭載した発光演出手段は、可動体を搭載しないものに比べてリアルで立体的な発光演出が可能である反面、モータ等の駆動手段や可動体を搭載するためのスペースが余分に必要であるために配置位置が限られてしまい、例えば遊技領域内に入賞手段と一体に配置するようなことはスペースの制約上困難であった。
【０００６】
本発明は、上記事情に鑑みてなされたものであり、発光体の発光制御だけで、回転体を搭載した回転灯と同等の発光演出を行うことが可能な遊技機を提供することを目的とする。
【課題を解決するための手段】
【０００７】
本発明は、複数の発光体８２ａ〜８２ｆと、該発光体８２ａ〜８２ｆの前側を覆うカバー板９１とを具備する発光演出手段３７と、前記発光体８２ａ〜８２ｆの発光制御を行う発光制御手段９８とを備えた遊技機において、前記カバー板９１の少なくとも一部に、透光性を有し且つ同心円状のパターン処理が施された発光レンズ部９４が設けられ、前記発光制御手段９８は、前記複数の発光体８２ａ〜８２ｆを、前記発光レンズ部９４に対する周方向の並びに従ってタイミングを順次ずらして点滅させるように構成されているものである。
【発明の効果】
【０００８】
本発明によれば、発光レンズ部９４上で円弧状に広がる光の帯の集合体に周方向の動きが与えられ、発光体の発光制御だけで恰もその発光レンズ部９４の後側でリフレクタが回転しているかのような滑らかな光の動きを表現することができる。しかも、モータ等の駆動手段や可動体を搭載するためのスペースが必要ないため、従来の回転灯を配置することが難しかった遊技領域内等にも容易に配置することが可能である。
【図面の簡単な説明】
【０００９】
【図１】本発明の第１の実施形態におけるパチンコ機の全体正面図である。
【図２】同じく下部ユニットの斜視図である。
【図３】同じく下部ユニットの正面図である。
【図４】同じく下部ユニットの分解斜視図である。
【図５】同じく下部ユニットの分解斜視図である。
【図６】同じく下部ユニットの側面断面図である。
【図７】同じく下部ユニットの平面断面図である。
【図８】同じく下部ユニットの正面断面図である。
【図９】同じく下部ユニットの正面断面図である。
【図１０】同じく発光演出に関する制御系のブロック図である。
【図１１】同じくＬＥＤの発光制御に関するタイミングチャートの一例を示す図である。
【図１２】同じくＬＥＤの発光制御に関するタイミングチャートの一例を示す図である。
【図１３】同じくＬＥＤを発光体列毎に個別に点灯させたときの中央発光レンズ部の発光状態の一例を示す図である。
【図１４】本発明の第２の実施形態における下部ユニットの正面図である。
【図１５】本発明の第３の実施形態における下部ユニットの正面図である。
【図１６】同じく下部ユニットの平面断面図である。
【図１７】本発明の第４の実施形態における下部ユニットの平面断面図である。
【図１８】本発明の第５の実施形態における表示シートの正面図である。
【図１９】同じく表示シートの正面図である。
【図２０】同じく表示シートの正面図である。
【発明を実施するための形態】
【００１０】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１１】
前面板５には、その前側に、発射手段（図示省略）に供給するための遊技球を貯留する貯留皿６、発射手段を作動させるための発射ハンドル７等が設けられている。
【００１２】
ガラス扉４の後側には、遊技盤１１が前枠３の前側から着脱自在に装着されている。遊技盤１１の前面側には、発射手段から発射された遊技球を案内するガイドレール１２が環状に装着されると共に、そのガイドレール１２の内側の遊技領域１３に、センターユニット１４、右サイドユニット１５、左サイドユニット１６、下部ユニット１７等が着脱自在に装着されている。
【００１３】
センターユニット１４は、遊技領域１３の中央上部に配置されており、その略中央に液晶式等の画像表示手段２１が設けられると共に、例えば画像表示手段２１を取り囲む表示枠２２上に、普通図柄表示手段２３、第１特別図柄表示手段２４ａ、第２特別図柄表示手段２４ｂの他、球誘導口２５からの遊技球を画像表示手段２１の下側で左右に転動させて中央落下部２６ａ又はその両側から遊技盤１１の前側に落下させるステージ２６等が設けられている。画像表示手段２１は、演出図柄表示手段２７等を構成している。
【００１４】
右サイドユニット１５は、遊技領域１３の右下部にガイドレール１２の内側に沿って配置されており、例えばその上部側に普通図柄始動手段３１が、略中央に大入賞手段３２が、下部側に普通入賞手段３３が夫々設けられている。大入賞手段３２は、前後にスライド可能な開閉板３４を備えており、この開閉板３４は、閉状態のときに上部側から落下してきた遊技球を遊技領域１３の中央側に案内するように左下がりの傾斜状に形成されている。左サイドユニット１６は、遊技領域１３の左下部にガイドレール１２の内側に沿って配置されており、例えば普通入賞手段３５が複数設けられている。
【００１５】
下部ユニット１７は、例えば遊技領域１３の中央下部に配置されており、固定式の第１特別図柄始動手段３６ａ、開閉式の第２特別図柄始動手段３６ｂの他、複数のＬＥＤにより発光演出を行う発光演出手段３７等が設けられている。
【００１６】
普通図柄表示手段２３は、普通図柄を変動表示するためのもので、例えば「○」「×」の２種類の普通図柄に対応する２個の発光体（例えばＬＥＤ）により構成されており、通過ゲート等よりなる普通図柄始動手段３１が遊技球を検出することを条件にそれら２つの発光体が所定時間交互に点滅して、普通図柄始動手段３１による遊技球検出時に取得された当たり判定乱数値が予め定められた当たり判定値と一致する場合には当たり態様に対応する「○」側の発光体が点灯し、それ以外の場合には外れ態様に対応する「×」側の発光体が点灯して停止するようになっている。普通図柄表示手段２３が当たり態様で停止すると普通利益状態が発生し、第２特別図柄始動手段３６ｂの開閉爪３８が所定時間、所定回数だけ開放する。
【００１７】
第１，第２特別図柄表示手段２４ａ，２４ｂは、夫々１個又は複数個、例えば各１個の第１，第２特別図柄を変動表示可能な７セグメント式等の表示手段により構成されており、第１特別図柄表示手段２４ａは第１特別図柄始動手段３６ａに、第２特別図柄表示手段２４ｂは第２特別図柄始動手段３６ｂに夫々遊技球が入賞することを条件に、第１，第２特別図柄が所定時間変動して、第１，第２特別図柄始動手段３６ａ，３６ｂの遊技球入賞時に取得された乱数値が予め定められた大当たり判定値と一致した場合に所定の大当たり態様で、それ以外の場合に外れ態様で停止するようになっている。第１，第２特別図柄表示手段２４ａ，２４ｂの何れかが大当たり態様で停止すると特別利益状態が発生し、大入賞手段３２が所定の開放パターンに従って開放して、その上に落下した遊技球を内部へと入賞させるようになっている。
【００１８】
なお、例えば特別利益状態中は第１特別図柄、第２特別図柄は何れも変動せず、また第１，第２特別図柄の一方が変動中の場合には他方は変動しないように制御される。また各特別図柄の始動検出は所定の上限数（例えば４）まで保留可能であり、両方に１以上の保留がある場合には、例えば第２特別図柄表示手段２４ｂの図柄変動が優先されるようになっている。
【００１９】
演出図柄表示手段２７は、例えば第１，第２特別図柄と同期して演出図柄を変動表示するもので、１個又は複数個、例えば左右方向に３個の演出図柄を各種の演出画像と共に画像表示手段２１の表示画面に変動表示可能に構成されている。演出図柄の変動後の停止図柄は、例えば第１，第２特別図柄が大当たり態様で停止する場合には全てが揃う大当たり演出態様となり、第１，第２特別図柄が外れ態様で停止する場合には少なくとも一部が異なる外れ演出態様となる。
【００２０】
続いて、下部ユニット１７の構成を詳細に説明する。下部ユニット１７は、図２〜図１０に示すように、遊技盤１１の前面に固定されたベース体４１と、このベース体４１の前側に装着された前装飾体４２と、ベース体４１の後側に装着された後部ユニット４３及び裏カバー４４と、ベース体４１と裏カバー４４との間に配置された電飾基板４５とを備えている。
【００２１】
ベース体４１は、前面側に任意の装飾が施された取付板５１を備え、この取付板５１を遊技盤１１の前面側に沿わせた状態で例えばその外周側の複数箇所で遊技盤１１にねじ止め固定されている。取付板５１の上部には第１特別図柄始動手段３６ａと第２特別図柄始動手段３６ｂとが上下に隣接して配置されている。
【００２２】
第１特別図柄始動手段３６ａは、取付板５１の最上部から前側へと一体に突出して上向きに開口する第１入賞口５２と、取付板５１から後ろ向きに突設され且つ取付板５１に形成された凹入状又は開口状の第１案内口５３を介して第１入賞口５２の後側に連通する第１傾斜通路５４とを備え、遊技盤１１の前側で第１入賞口５２に入賞した遊技球を第１案内口５３、第１傾斜通路５４を経て遊技盤１１の裏側に案内するようになっている。
【００２３】
また、第２特別図柄始動手段３６ｂは、第１入賞口５２の下側で左右に開口する一対の第２入賞口５５と、取付板５１の前側に配置され且つ前後方向の支軸５６廻りに揺動して第２入賞口５５を開閉する左右一対の開閉爪３８と、開状態の開閉爪３８に案内されて第２入賞口５５に入賞した遊技球を取付板５１に設けられた第２案内口５７側、即ち後側に案内する第２入賞案内部５８と、取付板５１から後ろ向きに突設され且つ第２案内口５７の後側に連通する第２傾斜通路５９とを備え、開閉爪３８の開放時に第２入賞口５５に入賞した遊技球を第２入賞案内部５８、第２入賞口５５、第２傾斜通路５９を経て遊技盤１１の裏側に案内するようになっている。なお、第２入賞案内部５８は例えば前装飾体４２に一体に設けられている。
【００２４】
また、取付板５１の裏側には、正面視略環状の区分壁６１と、その区分壁６１の外側を取り囲む外周壁６２とが後ろ向きに突設されており、外周壁６２が遊技盤１１に形成された装着孔１１ａ（図６，図７）の内側に嵌合している。外周壁６２は、第１特別図柄始動手段３６ａの配置部分を除き、取付板５１の外周に沿ってその若干内側に配置されている。区分壁６１は、第２特別図柄始動手段３６ｂの左右両側からその下側に向けて略一定の円弧状に配置されており、その前後幅は図７等に示すように外周壁６２の前後幅よりも若干小さく形成されている。
【００２５】
また、取付板５１には、区分壁６１の内側で且つ第１，第２特別図柄始動手段３６ａ，３６ｂの下側に対応して中央開口部６３が、区分壁６１と外周壁６２との間に対応して例えば左右一対のレンズ装着孔６４が夫々設けられている。左右のレンズ装着孔６４は、区分壁６１と外周壁６２とに沿って略円弧状に形成されており、例えばその前側からサイドレンズ部材６５が嵌め込まれている。このサイドレンズ部材６５は、透光性を有する合成樹脂により形成されると共に、例えばその少なくとも一面側に凹凸加工等の任意の乱反射処理が施されている。なお、ベース体４１を構成する取付板５１、区分壁６１、外周壁６２等は、例えば光透過性を有しないか又は極めて低い合成樹脂により一体に形成されている。
【００２６】
後部ユニット４３は、第１特別図柄始動手段３６ａに入賞した遊技球を遊技盤１１の裏側で下向きに案内する第１裏通路７１と、第２特別図柄始動手段３６ｂに入賞した遊技球を遊技盤１１の裏側で下向きに案内する第２裏通路７２と、第１裏通路７１を通過する遊技球を検出する第１検出スイッチ７３と、第２裏通路７２を通過する遊技球を検出する第２検出スイッチ７４と、開閉爪３８を駆動する電磁ソレノイド等の開閉駆動手段７５と、開閉駆動手段７５の駆動部７５ａの動作を開閉爪３８に伝達する駆動アーム７６とを備え、第１裏通路７１が第１傾斜通路５４に、第２裏通路７２が第２傾斜通路５９に夫々連通するようにベース体４１の裏側に着脱自在に固定されている。
【００２７】
駆動アーム７６は、左右方向の軸廻りに揺動自在に支持されており、その後端部７６ａが開閉駆動手段７５の駆動部７５ａに、前端部７６ｂが開閉爪３８の係合突起３８ａに夫々係合しており、駆動部７５ａの上下動に伴って左右方向の軸廻りに揺動することにより開閉爪３８を開閉させるようになっている。
【００２８】
電飾基板４５は、ベース体４１側の外周壁６２の内側で且つ第１，第２特別図柄始動手段３６ａ，３６ｂを除く領域に対応する形状に形成されており、外周壁６２とその後側に固定される裏カバー４４とでその外周部を前後に挟まれた状態で保持されている。電飾基板４５の前面側には、ベース体４１側の区分壁６１に対してその外側に複数、例えば左右各１０個の第１ＬＥＤ８１が配置され、また区分壁６１に対してその内側にも複数、例えば６個の第２ＬＥＤ（発光体）８２ａ〜８２ｆが配置されている。区分壁６１の外側の第１ＬＥＤ８１は、例えば左右のサイドレンズ部材６５の後側に対応して夫々略等間隔で一列状に配置されている。
【００２９】
区分壁６１の内側に配置される第２ＬＥＤ８２ａ〜８２ｆは、図８，図９等に示すように、ＬＥＤ８２ａとＬＥＤ８２ｄ、ＬＥＤ８２ｂとＬＥＤ８２ｅ、ＬＥＤ８２ｃとＬＥＤ８２ｆの３組の発光体列８３〜８５を構成している。これらの発光体列８３〜８５は、電飾基板４５上の所定の中心軸Ｃ１に対して略同一直径上に配置される複数のＬＥＤ（発光体）により構成されるもので、それら発光体列単位で中心軸Ｃ１に対する周方向の並びに従ってタイミングを順次ずらして各ＬＥＤ８２ａ〜８２ｆを点滅させることにより、回転灯と同様の発光演出を実現可能となっている。
【００３０】
ここで、本実施形態の３組の発光体列８３〜８５は、図９に示すように全て中心軸Ｃ１を挟んでその両側に配置された一対のＬＥＤで構成され、またそれら３組の発光体列８３〜８５は中心軸Ｃ１廻りに略均等な角度間隔で配置されている。なお、各発光体列８３〜８５を構成する複数のＬＥＤは中心軸Ｃ１に対してその両側に対称に配置され且つその配置は全ての発光体列８３〜８５で同じであることが望ましいが、本実施形態では、区分壁６１の内側の領域がその上部側に配置された第１，第２特別図柄始動手段３６ａ，３６ｂによって一部侵食されているため、各発光体列８３〜８５を構成する一対のＬＥＤは何れも中心軸Ｃ１に対して対称には配置されておらず、またその配置は発光体列８３〜８５毎に異なっている。
【００３１】
なお、ベース体４１側の外周壁６２は電飾基板４５の外周に沿って当接しているが、区分壁６１と電飾基板４５との間には隙間が存在しており（図７）、区分壁６１の内外の領域は完全には遮光されていない。また、裏カバー４４には、第１裏通路７１及び第２裏通路７２から排出された遊技球を下部側に案内する落下案内部８６が例えば一体に設けられている。
【００３２】
前装飾体４２は、ベース体４１側の取付板５１の前側に平行に配置されるカバー板９１と、取付板５１の中央開口部６３の外周に沿って配置され且つカバー板９１の裏側から後ろ向きに突設された側壁部９２と、その側壁部９２の上部側に配置された第２入賞案内部５８とを備え、透光性を有する合成樹脂により一体に形成されており、例えば側壁部９２の周上に設けられた複数のねじ止め基部９３に対してベース体４１側の取付板５１がねじ止めされることによりベース体４１に対して着脱自在に固定されている。
【００３３】
カバー板９１は、ベース体４１側の区分壁６１及びその内側の中央開口部６３に対応してＣ２を中心とする略円形に形成された中央領域９１ａと、その中央領域９１ａの外側の外周領域９１ｂとに区分され、中央領域９１ａと外周領域９１ｂとの境界に略沿うように側壁部９２が配置されている。なお、中心軸Ｃ２は中心軸Ｃ１と一致することが望ましいが、本実施形態では中心軸Ｃ１の方が中心軸Ｃ２よりも若干低い位置に設けられている。
【００３４】
カバー板９１の中央領域９１ａは、第２ＬＥＤ８２ａ〜８２ｆと共に発光演出手段３７を構成するもので、例えばその全面が後側の第２ＬＥＤ８２ａ〜８２ｆ等からの光を透過する中央発光レンズ部９４で構成されている。この中央発光レンズ部９４は、例えばその前面（表面）側に、凹凸条を中心軸Ｃ２に対する半径方向に連続的に配置することによる同心円状の凹凸処理（同心円状のパターン処理の一例）が施されており、第２ＬＥＤ８２ａ〜８２ｆからの光を乱反射させることによりその第２ＬＥＤ８２ａ〜８２ｆに対応する一定範囲が明るく発光するようになっている。
【００３５】
また、外周領域９１ｂは、後側の第１ＬＥＤ８１等からの光を透過する外周発光レンズ部９６と、後側の第２ＬＥＤ８２ａ〜８２ｆ等からの光を透過しない遮光部９７とで構成されている。この外周領域９１ｂとその後方の第１ＬＥＤ８１との間には、乱反射処理が施されたサイドレンズ部材６５が配置されているため、この外周発光レンズ部９６には乱反射加工は施されていない。また、遮光部９７には、メッキ等による遮光処理が施されている。もちろん、外周領域９１ｂの全体を外周発光レンズ部９６としてもよい。なお、外周領域９１ｂを省略し、サイドレンズ部材６５等が前側から直接見えるようにしてもよい。
【００３６】
側壁部９２は、ベース体４１側の取付板５１とカバー板９１との間の空間を、第１ＬＥＤ８１に対応する外周領域９１ｂ側と第２ＬＥＤ８２ａ〜８２ｆに対応する中央領域９１ａ側とに区分するもので、例えばその内面側に、前後方向の凹凸条を周方向に連続的に配置することによる乱反射処理が施されており、第２ＬＥＤ８２ａ〜８２ｆからの光を乱反射させることによりその第２ＬＥＤ８２ａ〜８２ｆに対応する一定範囲が明るく発光するようになっている。
【００３７】
なお、各発光体列８３〜８５は、中央発光レンズ部９４の凹凸処理の中心軸Ｃ２に対して夫々同一直径上にある（即ち中心軸Ｃ１が中心軸Ｃ２と完全に一致する）ことが理想であるが、本実施形態のように各発光体列８３〜８５が夫々中心軸Ｃ２に対する同一直径上になくてもその近傍にあればよい。
【００３８】
図１０は、第１ＬＥＤ８１及び第２ＬＥＤ８２ａ〜８２ｆに関する制御系の概略ブロック図である。第１ＬＥＤ８１及び第２ＬＥＤ８２ａ〜８２ｆの発光制御を行う発光制御手段９８は、遊技の進行を統括的に制御する主制御基板９９からのコマンドに基づいて、画像表示手段２１等の各種演出手段を制御する演出制御基板１００上に設けられている。
【００３９】
発光制御手段９８は、主制御基板９９から送信される発光演出コマンドに基づいて、第１ＬＥＤ８１を所定パターンで発光させる第１発光演出と、第２ＬＥＤ８２ａ〜８２ｆを所定パターンで発光させる第２発光演出とを任意の組み合わせで実行するように構成されている。なお、発光演出を開始するための発光演出コマンドは、発光演出専用のコマンドである必要はなく、例えば普通利益状態の発生に関する普通利益状態発生コマンド、特別利益状態の発生に関する特別利益状態発生コマンド、特別図柄の変動開始に関する変動パターンコマンド等をそれら第１発光演出コマンド、第２発光演出コマンド等としてもよい。
【００４０】
ここで、第２ＬＥＤ８２ａ〜８２ｆを所定パターンで発光させる第２発光演出は、第２ＬＥＤ８２ａ〜８２ｆの発光制御だけで、リフレクタを回転させる回転灯による演出と同等の演出を実現しようとするもので、発光制御手段９８は、３組の発光体列８３〜８５単位で、中心軸Ｃ１に対する周方向の並びに従ってタイミングを順次ずらして各ＬＥＤ８２ａ〜８２ｆを点滅させるようになっている。
【００４１】
例えば、図１１の例では、中心軸Ｃ１に対する時計方向の順序、即ち発光体列８３→８４→８５→８３→…の順序で一定時間（ここでは９２ｍｓｅｃ）ずつ順次第２ＬＥＤ８２ａ〜８２ｆを点灯させている。また、図１２の例では、発光演出の開始時には第２ＬＥＤ８２ａ〜８２ｆの点灯時間を徐々に長くし、発光演出の終了時には逆に点灯時間を徐々に短くしている。
【００４２】
ここで、発光体列８３を構成する第２ＬＥＤ８２ａ，８２ｄ、発光体列８４を構成する第２ＬＥＤ８２ｂ，８２ｅ、発光体列８５を構成する第２ＬＥＤ８２ｃ，８２ｆを個別に点灯させたときの中央発光レンズ部９４の発光状態は例えば夫々図１３（ａ）〜（ｃ）のようになる。このように、第２ＬＥＤ８２ａ〜８２ｆから届いた光は、中央発光レンズ部９４に施された同心円状の凹凸処理によって乱反射し、円弧状に広がる光の帯の集合体を形成している。
【００４３】
従って、図１１，図１２に示すような発光制御によって中央発光レンズ部９４の発光状態を図１３（ａ）→（ｂ）→（ｃ）→（ａ）→…の順序で切り替えることにより、中央発光レンズ部９４上で円弧状に広がる光の帯の集合体に周方向の動きが与えられ、恰もその中央発光レンズ部９４の後側でリフレクタが回転しているかのような滑らかな光の動きを表現することができる。
【００４４】
なお、本実施形態では、各発光体列８３〜８５を構成する一対のＬＥＤは何れも中心軸Ｃ１に対して対称には配置されておらず、またその配置は発光体列８３〜８５毎に異なっており、しかも中心軸Ｃ１と中心軸Ｃ２とは上下にずれているが、各第２ＬＥＤ８２ａ〜８２ｆからの光によって発光する範囲は夫々ある一定の広がりを持っているため、実際には殆ど不自然さを感じることはない。
【００４５】
以上説明したように、本実施形態のパチンコ機は、カバー板９１上の中央領域９１ａに、透光性を有し且つ同心円状のパターン処理が施された中央発光レンズ部９４が設けられ、発光制御手段９８は、複数の第２ＬＥＤ８２ａ〜８２ｆを、中央発光レンズ部９４に対する周方向の並びに従ってタイミングを順次ずらして点滅させるように構成されているため、中央発光レンズ部９４上で円弧状に広がる光の帯の集合体に周方向の動きが与えられ、ＬＥＤの発光制御だけで恰もその中央発光レンズ部９４の後側でリフレクタが回転しているかのような滑らかな光の動きを表現することができる。しかも、モータ等の駆動手段や可動体を搭載するためのスペースが必要ないため、従来の回転灯を配置することが難しかった遊技領域１３内等にも配置することが可能である。
【００４６】
また、中央発光レンズ部９４上のパターン処理は、カバー板９１の表面側に施された同心円状の凹凸処理であるため、加工が容易で、また光の乱反射により内部の目隠しとしても機能する利点がある。
【００４７】
また、中央発光レンズ部９４の後方に、同心円の中心軸Ｃ２に対して同一直径上又はその近傍に配置される複数の第２ＬＥＤ８２ａ〜８２ｆよりなる発光体列８３〜８５が略均等な角度間隔で複数組配置されており、発光体列８３〜８５は、夫々中心軸Ｃ２を挟んでその両側に配置された一対の発光体８２ａ，８２ｄ、８２ｂ，８２ｅ、８２ｃ，８２ｆにより構成されており、発光制御手段９８は、それら発光体列８３〜８５単位で中央発光レンズ部９４の周方向の並びに従ってタイミングを順次ずらして点滅させるように構成されているため、より滑らかで自然な光の回転を表現することが可能である。
【００４８】
図１４は本発明の第２の実施形態を例示し、カバー板９１の中央領域９１ａを、後側の第２ＬＥＤ８２ａ〜８２ｆ等からの光を透過する中央発光レンズ部９４と、後側の第２ＬＥＤ８２ａ〜８２ｆ等からの光を透過しない遮光部９５とで構成した例を示している。
【００４９】
本実施形態では、中央領域９１ａ内に縦書きで大きく描かれた「無双」及び横書きで小さく描かれた「ＲＵＳＨ」の各文字部分と、それらの文字を取り囲む円環状の部分とが中央発光レンズ部９４、それ以外の部分が遮光部９５となっており、例えばメッキ等の遮光処理の有無によって遮光部９５と中央発光レンズ部９４とに区分されている。
【００５０】
中央発光レンズ部９４には、第１の実施形態と同様、例えばその前面（表面）側に、凹凸条を中心軸Ｃ２に対する半径方向に連続的に配置することによる同心円状の凹凸処理  （同心円状のパターン処理の一例）が施されており、第２ＬＥＤ８２ａ〜８２ｆからの光を乱反射させることによりその第２ＬＥＤ８２ａ〜８２ｆに対応する一定範囲が明るく発光するようになっている。なお、中央発光レンズ部９４は、中央領域９１ａ内の全体に大きな偏り無く配置されていることが望ましい。
【００５１】
このような構成を採用する場合、第２ＬＥＤ８２ａ〜８２ｆから届いた光によって中央発光レンズ部９４上で円弧状に広がる光の帯の集合体はその一部分しか前側から見ることができないが、例えば本実施形態のように各発光体列８３〜８５を構成する一対のＬＥＤは何れも中心軸Ｃ１に対して対称には配置されておらず、またその配置は発光体列８３〜８５毎に異なっており、しかも中心軸Ｃ１と中心軸Ｃ２とは上下にずれているような場合には、逆にそれによって不自然な部分が目立たずよりリアルな回転発光演出となる可能性がある。
【００５２】
図１５及び図１６は本発明の第３の実施形態を例示し、中央発光レンズ部９４を、半径方向に所定間隔で複数配置された同心円状の透光部（同心円状のパターン処理の一例）により構成した例を示している。
【００５３】
図１５及び図１６に示すように、カバー板９１の中央領域９１ａは、後側の第２ＬＥＤ８２ａ〜８２ｆ等からの光を透過する中央発光レンズ部９４と、後側の第２ＬＥＤ８２ａ〜８２ｆ等からの光を透過しない遮光部９５とで構成されており、例えばメッキ等の遮光処理の有無によって遮光部９５と中央発光レンズ部９４とに区分されている。
【００５４】
中央発光レンズ部９４は、Ｃ２を中心として同心円状に一定間隔で配置された複数の円環状透光部の集合体である。なお、中央発光レンズ部９４には、任意の乱反射加工を施してもよい。
【００５５】
このような構成としても、第２ＬＥＤ８２ａ〜８２ｆから届いた光によって中央発光レンズ部９４上には円弧状に広がる光の帯の集合体が形成されるため、図１１，図１２に示すような発光制御を行うことにより、第１の実施形態と同様、中央発光レンズ部９４上で円弧状に広がる光の帯の集合体に周方向の動きが与えられ、恰もその中央発光レンズ部９４の後側でリフレクタが回転しているかのような滑らかな光の動きを表現することができる。
【００５６】
図１７は本発明の第４の実施形態を例示している。本実施形態は、第１の実施形態を一部変更したもので、中央発光レンズ部９４とその後側の第２ＬＥＤ８２ａ〜８２ｆとの間に拡散シート１０１を配置している。この拡散シート１０１は、光透過性を有すると共に、裏側から照射された光を乱反射させる性質を有し、図１７に示すように例えば中央発光レンズ部９４の裏側に密着するように配置されている。なお、拡散シート１０１は、中央発光レンズ部９４の後方に間隔を空けて配置してもよい。
【００５７】
このように中央発光レンズ部９４とその後側の第２ＬＥＤ８２ａ〜８２ｆとの間に拡散シート１０１を設けることにより、第２ＬＥＤ８２ａ〜８２ｆを点灯させたときに中央発光レンズ部９４上で円弧状に広がる発光範囲をより広くすることができ、回転発光演出をより自然なものとすることができる。なお、このような構成は中央発光レンズ部９４とその後側の第２ＬＥＤ８２ａ〜８２ｆとの間に十分な距離を確保できない場合にも有効である。
【００５８】
なお、この拡散シート１０１には、任意の図柄、文字等よりなる装飾表示を印刷等により付してもよい。この装飾表示は、例えば透光性を有すると共に中央発光レンズ部９４の色とは異なる色に着色すればよい。これにより、第２ＬＥＤ８２ａ〜８２ｆが点灯し、中央発光レンズ部９４上の一部が発光すると、その発光部分に装飾表示の図柄等が浮かび上がり、前側から視認可能となる。また、拡散シート１０１全体のうち装飾表示の部分にのみ遮光性を持たせ、装飾表示以外の部分を発光させることにより装飾表示の部分を浮かび上がらせるようにしてもよい。中央発光レンズ部９４上に装飾表示を浮かび上がらせるためだけであれば、装飾表示を拡散シート以外のシート材に付して装着してもよい。また、装飾表示を付した別のシートを拡散シート１０１に重ねて装着してもよい。
【００５９】
図１８〜図２０は本発明の第５の実施形態を例示している。本実施形態は、第１の実施形態を一部変更したもので、中央発光レンズ部９４とその後側の第２ＬＥＤ８２ａ〜８２ｆとの間に、任意の図柄、文字等よりなる装飾表示が付された表示シート１０２を配置している。この表示シート１０２は、図１７に示した拡散シート１０１と同様、例えば中央発光レンズ部９４の裏側に密着するように配置されている。なお、本実施形態では中央発光レンズ部９４は無色透明であることが望ましい。
【００６０】
表示シート１０２は、例えば無色透明のシート材の片面に、透光性を有する無色透明の第１表示領域１０３と、透光性を有する第１色が付された第１色着色領域１０４と、透光性を有する無色透明の第２表示領域１０５と、透光性を有し且つ第１色と異なる第２色が付された第２色着色領域１０６とが重ねて設けられている。
【００６１】
表示シート１０２の裏側に配置される第２ＬＥＤ８２ａ〜８２ｆは、第１色に近似する第１発光色と第２色に近似する第２発光色とを含む複数色に発光可能に構成されており、第１発光色で発光したときには第２表示領域１０５が第１色に近似する色で発光し、第２発光色で発光したときには第１表示領域１０３が第２色に近似する色で発光するようになっている。なお、第２ＬＥＤ８２ａ〜８２ｆの夫々を、第１発光色で発光する発光素子と第１発光色で発光する発光素子とを含む複数種類の発光素子で構成してもよい。
【００６２】
例えば第１色は赤であり、第２色は第１色と異なる緑である。なお、第１色、第２色は他のでもよい。図１８（ａ）に示すように、第１表示領域１０３は例えば「カッパ」の文字が表示され、第１色着色領域１０４は第１表示領域１０３の「カッパ」文字を除く領域に設けられ、全体が赤色に印刷されている。また図１８（ｂ）に示すように、第２表示領域１０５は例えば「確定」の文字が表示され、その一部が第１表示領域１０３、第１色着色領域１０４と重なるように設けられている。第２色着色領域１０６は第２表示領域１０５を縁取る縁取り部１０６ａと、この縁取り部１０６ａから放射状に延びる放射状部１０６ｂとを有し、第１色着色領域１０４等に重ねて緑色に印刷されている。
【００６３】
従って、表示シート１０２には、図１８（ｃ）に示すように第１表示領域１０３、第２表示領域１０５、第１色着色領域１０４、第２色着色領域１０６が重合して、第１表示領域１０３と第２表示領域１０５との重合によりできる無色透明部１０８と、第１表示領域１０３と第２色着色領域１０６との重合によりできる第２色着色部１０９と、第２表示領域１０５と第１色着色領域１０４の重合によりできる第１色着色部１１０と、第１色着色領域１０４と第２色着色領域１０６との重合により暗部１１１とが複雑に入り組んで各表示部１０３，１０５が判然としない模様となっている。
【００６４】
なお、この実施例では、１枚の表示シート１０２の片面に第１色着色領域１０４と第２色着色領域１０６とを重ねて印刷しているが、１枚の表示シート１０２の一側面に第１色着色領域１０４を、他側面に第２色着色領域１０６を夫々印刷してもよいし、２枚の表示シート１０２に別々に印刷して重ねて配置してもよい。
【００６５】
このような構成にすれば、第２ＬＥＤ８２ａ〜８２ｆを第１発光色で発光させたときに、図１９に示すように中央発光レンズ部９４を通して第１色の赤色で第２表示領域１０５の「確定」の文字を発光表示でき、また第２発光色で発光させたときに、図２０に示すように第２色の緑色で第１表示領域１０３の「カッパ」の文字を発光表示できるため、更に変化に富んだ演出が可能である。
【００６６】
即ち、第２ＬＥＤ８２ａ〜８２ｆを第１発光色の赤色で発光させたときには、第１表示領域１０３が光を透過して赤色に発光するため、その周辺の第１色着色領域１０４の赤色との差異が小さく、第１表示領域１０３の「カッパ」は明瞭には表示されない。一方、第２表示領域１０５が光を透過して赤色に発光するのに対して、この第２表示領域１０５の周辺では第１色着色領域１０４との重なる第２色着色領域１０６が暗部１１１となるため、第２表示領域１０５の「確定」を明瞭に発光表示することができる。
【００６７】
また第２ＬＥＤ８２ａ〜８２ｆを第２発光色の緑色で発光させたときには、第２表示領域１０５が光を透過して緑色に発光するため、その周辺の第２色着色領域１０６の緑色との差異が小さく、第２表示領域１０５の「確定」は明瞭には表示されない。一方、第１表示領域１０３が光を透過して緑色に発光するのに対して、この第１表示領域１０３の周辺では第１色着色領域１０４の赤色に緑色の光が重なるため、第１表示領域１０３の「カッパ」を明瞭に発光表示することができる。
【００６８】
以上、本発明の実施形態について詳述したが、本発明はこれらの実施形態に限定されるものではなく、本発明の趣旨を逸脱しない範囲で種々の変更が可能である。例えば、実施形態では、２つのＬＥＤで構成される発光体列が３組、合計６個のＬＥＤで回転発光演出を行うように構成したが、２組或いは４組以上の発光体列を周方向に配置してもよい。１つの発光体列を構成するＬＥＤは３個以上であってもよい。
【００６９】
中心軸Ｃ１を挟んでその両側のＬＥＤを１つの発光体列として同時に点滅させる以外に、例えば中心軸Ｃ１の片側のＬＥＤ（１個又は複数個）を１つの発光体列として同時に点滅させるようにしてもよい。例えば実施形態の場合であれば、６個の第２ＬＥＤ８２ａ〜８２ｆが全て異なる発光体列を構成しているものとみなし、それら６個の第２ＬＥＤ８２ａ〜８２ｆを、中心軸Ｃ１に対する時計方向又は反時計方向の順序、即ち例えば第２ＬＥＤ８２ａ→８２ｂ→…→８２ｅ→８２ｆ→８２ａ→…の順序で所定時間ずつ順次点灯させるようにしてもよい。
【００７０】
例えば階調制御可能なＬＥＤを用い、点灯時に徐々に階調を変化させるように構成してもよい。点滅パターンは任意であり、１回の回転発光演出において点滅順序を反転させることにより回転方向を変化させたり、回転速度を変化させてもよい。
【００７１】
同心円状のパターン処理の一例としての凹凸処理（第１の実施形態）は、カバー板９１の前面側と裏面側との少なくとも一方に施せばよい。
【００７２】
更に、実施形態では本発明をパチンコ機に適用した例を示したが、アレンジボール機等の他の弾球遊技機はもちろん、スロットマシン等の各種遊技機において同様に実施可能であることは言うまでもない。
【符号の説明】
【００７３】
１１    遊技盤
１７    下部ユニット（ユニット）
３６ａ  第１特別図柄始動手段（入賞手段）
３６ｂ  第２特別図柄始動手段（入賞手段）
３７    発光演出手段
８２ａ〜８２ｆ    第１ＬＥＤ（発光体）
８３〜８５    発光体列
９１    カバー板
９４    中央発光レンズ部（発光レンズ部）
９８    発光制御手段
Ｃ２    中心軸
【図１】
2011062387.tif 000003
【図２】
2011062387.tif 000004
【図３】
2011062387.tif 000005
【図４】
2011062387.tif 000006
【図５】
2011062387.tif 000007
【図６】
2011062387.tif 000008
【図７】
2011062387.tif 000009
【図８】
2011062387.tif 000010
【図９】
2011062387.tif 000011
【図１０】
2011062387.tif 000012
【図１１】
2011062387.tif 000013
【図１２】
2011062387.tif 000014
【図１３】
2011062387.tif 000015
【図１４】
2011062387.tif 000016
【図１５】
2011062387.tif 000017
【図１６】
2011062387.tif 000018
【図１７】
2011062387.tif 000019
【図１８】
2011062387.tif 000020
【図１９】
2011062387.tif 000021
【図２０】
2011062387.tif 000022